(57)【要約】【課題】ゲリラ豪雨などによる想定外の雨量に備えて、箱型擁壁の下に一時的に貯水できるようにし、基礎地盤の流出及び応力度低下を防ぎ、基礎地盤や背面地盤の安定性を維持する。【解決手段】箱型擁壁は法面１０に沿って階段状に積み上げられた複数の段ｚ１，ｚ２を含み、各段ｚ１，ｚ２は、表面板２と後方の控板３とそれらを繋ぐ繋ぎ板４，４とを含み構成された箱型擁壁用ブロック１が法面１０の手前に左右に複数並べられるとともに、表面板２から法面１０までの間の空所６，７，８に充填石材１９が充填されて構築されている。最下段ｚ１の箱型擁壁用ブロック１の下に、左右に延び、左右長さ１ｍ当たりの貯水容量が０．４〜４ｍ３であり、貯水槽上面部から貯水槽内に水が入り、周囲地盤１１の土砂が貯水槽内に実質的に入らない貯水槽１４が設けられている。【選択図】図１
2019132095.tif 000002
【特許請求の範囲】
【請求項１】
法面（１０）に沿って階段状に積み上げられた複数の段（ｚ１，ｚ２）を含み、各段（ｚ１，ｚ２）は、起立する表面板（２）とその後方に離間して起立する控板（３）と表面板（２）及び控板（３）の左右中間部どうしを繋ぐ繋ぎ板（４，４）とを含み構成された箱型擁壁用ブロック（１）が法面（１０）の手前に左右に複数並べられるとともに、表面板（２）から法面（１０）までの間の空所（６，７，８）に充填石材（１９）が充填されて構築されている箱型擁壁において、
最下段（ｚ１）の箱型擁壁用ブロック（１）の下に、左右に延び、左右長さ１ｍ当たりの貯水容量が０．４〜４ｍ３であり、貯水槽上面部から貯水槽内に水が入り、周囲地盤（１１）の土砂が貯水槽内に実質的に入らない貯水槽（１４）が設けられたことを特徴とする箱型擁壁。
【請求項２】
貯水槽（１４）は、籠状のジオグリッド（１５）と、ジオグリッド（１５）の内側面及び内底面に張り付けられた吸い出し防止材（１６）と、吸い出し防止材（１６）の内側に充填された基礎石材（１７）とを含み、基礎石材（１７）の相互間の空隙部で貯水するものである請求項１記載の箱型擁壁。
【請求項３】
貯水槽（１４）の下の地盤は、土砂がセメント系固化材により半コンクリート化された固化地盤（１３）である請求項２記載の箱型擁壁。
【請求項４】
基礎石材（１７）に、部分開口暗渠排水パイプ（１８）が埋設されている請求項２又は３記載の箱型擁壁。
【請求項５】
貯水槽（１４）は斜面（２０）の上部に構築され、貯水槽（１４）の壁面部と底面部の外側が遮水シート（２１）で覆われている請求項２、３又は４記載の箱型擁壁。
【請求項６】
基礎石材（１７）に埋設されている部分開口暗渠排水パイプ（１８）に、斜面（２０）に開口する暗渠排水パイプ（２２）が連結されている請求項５記載の箱型擁壁。
【請求項７】
貯水槽（１４）は、プレキャストコンクリート製ボックス（３０）であり、その上面部に透水孔（３４）が設けられている請求項１記載の箱型擁壁。
【請求項８】
プレキャストコンクリート製ボックス（３０）の上面部の上であって最下段（ｚ１）の箱型擁壁用ブロック（１）の下に、基礎石材（４２）をジオグリッド（４３）で巻き囲んでなる基礎（４１）が設けられている請求項７記載の箱型擁壁。
【請求項９】
貯水槽（１４）内に、貯水槽（１４）外の所定の排水部位へ排水するための水中ポンプ（３７）が設置されている請求項１〜８のいずれか一項に記載の箱型擁壁。
【請求項１０】
貯水槽（１４）底から地上まで縦に延びる水位確認用パイプ（９）が設けられている請求項１〜８のいずれか一項に記載の箱型擁壁。
【発明の詳細な説明】
【技術分野】
【０００１】
本発明は、箱型擁壁に関するものである。
【背景技術】
【０００２】
擁壁の安全性は様々な条件が整わないと成立しない。特に、地盤の支持力、背面土の土質内容、地下水・表面水・降雨などの侵入水の排水処理機能、及び耐震性が重要な要素である。本来、擁壁が機能喪失や崩壊や変状するのは、破壊的な地震による場合と、想定しない湧水、豪雨等によって擁壁背面側に大量に水が浸入することで抗土圧機能を喪失する場合とが多い。本発明は、特に後者の水の問題を扱うものである。
【０００３】
擁壁を構築する際、擁壁背面に水（地表の表面水、背面よりの湧水、降雨など）が溜まらないように、地表面排水（側溝、舗装、排水勾配の設置等）や、擁壁背面に排水層（砂利層や透水マット等）を設けるなど、排水計画を行うことが基本となっている。
【０００４】
Ｌ型擁壁などの剛体擁壁の場合、背面に溜まった水を排水するためには、壁面に水抜き孔を設けて前面に排水するなどの対策が一般的である。
【０００５】
特許文献１に記載の箱型擁壁は、図１１に示すように、法面６０の手前の地盤６１に溝６２を掘削し、その溝６２に単粒度砕石等の粗粒状の基礎石材６７をジオグリッド６５で巻き囲んでなる基礎６４を設け、その基礎６４の上に表面板５２と控板５３とこれらを連結する２つの繋ぎ板５４，５４とを含む箱型の箱型擁壁用ブロック５１を複数並べ、その表面板５２から法面６０までの空所に単粒度砕石等の粗粒状の充填石材６９を充填して一つの段を構成し、この段を下から上へ複数段にかつ階段状に積み上げて構築される。
【０００６】
箱型擁壁は、充填石材６９の相互間に空隙があるため、排水性能は剛体擁壁に比べて非常に高く、通常、排水は、箱型擁壁用ブロック５１本体と、残留水や地下水を除くため基礎６４に埋設された部分開口暗渠排水パイプ６８により排水している。この通常の排水計画でも、過去に豪雨や突然の湧水（急激な増水）に崩壊や変状などが生じたことはない。
【先行技術文献】
【特許文献】
【０００７】
【特許文献１】特許第３８２３０７５号公報
【発明の概要】
【発明が解決しようとする課題】
【０００８】
昨今、異常気象による集中豪雨（ゲリラ豪雨）が頻発するようになり、想定外の雨量が短時間に生じるようになった。
【０００９】
Ｌ型擁壁などの剛体擁壁においては、ゲリラ豪雨により設計時に考えられていた排水性能を上回る水が擁壁背面に侵入し、排水が間に合わず、基礎部が軟弱化したり、水圧の上昇により安定性を失ったりして、擁壁構造物が崩壊する事例が見受けられる。
【００１０】
前記のとおり排水性能に優れた箱型擁壁といえども、ゲリラ豪雨により擁壁背面に侵入して短時間に増水した水を、通常の部分開口暗渠排水パイプで排水処理することが困難になり、箱型擁壁の安定性を損なうことがないとはいえない。特に、斜面の上部などに構築する場合（斜面の上の道路などを大量の雨水が川のように流れることがある。）は、箱型擁壁の内部に侵入した大量の水によって擁壁支持地盤の応力度が低下し、箱型擁壁に変状をきたす可能性がある。
【００１１】
よって、ゲリラ豪雨により短時間に増水する可能性の高い場所、山岳部などの雨量が平地と比較してかなり多い場所、谷部などの集水地形の場所、斜面の上部などに構築する場合は、箱型擁壁の排水機能を一段と高めておく必要がある。
【００１２】
また、通常の部分開口暗渠排水パイプにより排水処理が充分可能と思われる場所においては、本発明の実施の必要性は低いかもしれないが、昨今のゲリラ豪雨は場所を選ばず起きうるから、やはり箱型擁壁の排水機能を一段と高めておくに越したことはない。
【００１３】
そこで、本発明は、ゲリラ豪雨などによる想定外の雨量に備えて、箱型擁壁の下に一時的に雨水や湧水を貯水できるようにし、基礎地盤の流出及び応力度低下を防ぎ、基礎地盤や背面地盤の安定性を維持することを目的とする。
【課題を解決するための手段】
【００１４】
本発明の箱型擁壁は、
法面に沿って階段状に積み上げられた複数の段を含み、各段は、起立する表面板とその後方に離間して起立する控板と表面板及び控板の左右中間部どうしを繋ぐ繋ぎ板とを含み構成された箱型擁壁用ブロックが法面の手前に左右に複数並べられるとともに、表面板から法面までの間の空所に充填石材が充填されて構築されている箱型擁壁において、
最下段の箱型擁壁用ブロックの下に、左右に延び、左右長さ１ｍ当たりの貯水容量が０．４〜４ｍ３であり、貯水槽上面部から貯水槽内に水が入り、周囲地盤の土砂が貯水槽内に実質的に入らない貯水槽が設けられたことを特徴とする。
【００１５】
貯水槽としては、特に限定されないが、次の態様（１）、（２）を例示できる。
（１）貯水槽は、籠状のジオグリッドと、ジオグリッドの内側面及び内底面に張り付けられた吸い出し防止材と、吸い出し防止材の内側に充填された基礎石材とを含み、基礎石材の相互間の空隙部で貯水するものである態様。
【００１６】
この態様の貯水槽の下の地盤は、土砂がセメント系固化材により半コンクリート化された固化地盤であることが好ましい。
【００１７】
この態様の貯水槽の基礎石材に、部分開口暗渠排水パイプが埋設されていることが好ましい。
【００１８】
この態様の貯水槽を斜面の上部に構築する場合、貯水槽の壁面部と底面部の外側が遮水シートで覆われていることが好ましい。
【００１９】
また、基礎石材に埋設されている部分開口暗渠排水パイプに、斜面に開口する暗渠排水パイプが連結されていることが好ましい。
【００２０】
（２）貯水槽は、プレキャストコンクリート製ボックスであり、その上面部に透水孔が設けられている態様。
【００２１】
この態様のプレキャストコンクリート製ボックスの上面部の上であって最下段の箱型擁壁用ブロックの下に、基礎石材をジオグリッドで巻き囲んでなる基礎が設けられていることが好ましい。
【００２２】
貯水槽内に、貯水槽外の所定の排水部位へ排水するための水中ポンプが設置されていることが好ましい。
【００２３】
貯水槽底から地上まで縦に延びる水位確認用パイプが設けられていることが好ましい。
【発明の効果】
【００２４】
本発明によれば、ゲリラ豪雨などにより想定外の雨量が短時間に生じても、箱型擁壁の下に一時的に所定量以上の雨水や湧水を貯水することにより、基礎地盤の流出及び応力度低下を防ぎ、基礎地盤や背面地盤の安定性を維持することができる。
【図面の簡単な説明】
【００２５】
【図１】図１は実施例１に係る擁壁の斜視図である。
【図２】図２は同擁壁に用いる箱型擁壁用ブロックを示し、（ａ）は正面側から見た斜視図、（ｂ）は背面側から見た斜視図である。
【図３】図３は同擁壁を構築する途中（溝を掘削）の断面図である。
【図４】図４は同擁壁を構築する途中（貯水槽を形成）の断面図である。
【図５】図５は同擁壁を構築する途中（最下段を構築）の断面図である。
【図６】図６（ａ）は部分開口暗渠排水パイプの側面図、（ｂ）は貯水槽の上面の部分斜視図である。
【図７】図７は実施例２に係る擁壁の断面図である。
【図８】図８は実施例３に係る擁壁の断面図である。
【図９】図９は同擁壁に用いる端用ブロックを示し、（ａ）は断面図、（ｂ）はｂ−ｂ断面図である。
【図１０】図１０は同擁壁に用いる中間用ブロックの変更例を示し、（ａ）は変更例１の断面図、（ｂ）は変更例２の断面図である。
【図１１】図１１は従来例１に係る擁壁の断面図である。
【発明を実施するための形態】
【００２６】
１．貯水槽の貯水容量
貯水槽の左右長さ１ｍ当たりの貯水容量は、前記のとおり０．４〜４ｍ３であり、０．５〜２ｍ３が好ましい。０．４ｍ３未満では、ゲリラ豪雨などにより想定外の雨量が短時間に生じたときに貯水量が不足し、４ｍ３を越えると、貯水槽が無用に過大となるからである。
【００２７】
２．態様（１）の貯水槽
態様（１）の貯水槽は、ジオグリッドの上面部の網目によって、貯水槽上面部から貯水槽内に水が入るようになっており、吸い出し防止材によって、周囲地盤の土砂が貯水槽内に実質的に入らないようになっており、基礎石材の相互間の空隙部で貯水するようになっている。基礎石材によって実積率は異なり、空隙率は１００−実積率（％）である。よって、態様（１）の貯水槽の前述した左右長さ１ｍ当たりの貯水容量は、籠状のジオグリッドの内容積に、基礎石材の実積率に基づく空隙率を乗じて算出される。
また、態様（１）の貯水槽は、籠状のジオグリッドが基礎石材を拘束するため、強固な基礎としても機能する。
【００２８】
（ａ）ジオグリッド
ジオグリッドは、少なくとも底面部と前後の壁面部と上面部とを含む籠状をなし、さらに左右の端壁面部も含む六面の籠状をなすものが好ましい。上面部は、（基礎石材充填前に）壁面部に対して蓋状に開くことができ、（基礎石材充填後に）閉じたときには再び開かないように結合されるものが好ましい。
ジオグリッドは、特に限定されないが、基礎石材の平均粒径より小さくかつ基礎石材の一部が突出可能な大きさの網目単位を持つものが好ましい。基礎石材が最下段の充填石材と噛み合うことができからである。
【００２９】
（ｂ）吸い出し防止材
吸い出し防止材は、水は通すが地盤の土砂は実質的に通さないというフィルター機能を備えたものである。粒径０．０７５ｍｍ未満の細粒分（シルト、粘土）を通さないものが好ましいが、これを通すものでも特に問題はない。
吸い出し防止材としては、特に限定されないが、不織布等を例示できる。
吸い出し防止材は、少なくともジオグリッドの前壁面部と後壁面部の内側に張り付けられ、さらにジオグリッドの底面部の内側にも張り付けられていることが好ましい。吸い出し防止材は、ジオグリッドの上面部の内側には貼り付けられていなくてもよいが、最下段の箱型擁壁用ブロックよりも前又は後にはみ出すジオグリッド上面部の部分の内側に貼り付けられていてもよい。
【００３０】
（ｃ）基礎石材
基礎石材としては、特に限定されないが、砕石、栗石等を例示でき、単粒度砕石が好ましい。前述のとおり、基礎石材によってその実積率は異なり、例えば３号の単粒度砕石（Ｓ−４０）の実積率は約６０％である。
【００３１】
（ｄ）遮水シート
遮水シートの材質としては、特に限定されないが、ゴム系、フエルト系、塩化ビニール系、ベントナイト系、ポリエチレン系等を例示できる。
遮水シートは、貯水槽の壁面部と底面部の外側を水密に覆うよう、材質に応じて接着剤や溶融材で接着されて水槽状に形成されることが好ましい。
【００３２】
３．態様（２）の貯水槽
態様（２）のプレキャストコンクリート製ボックスは、上面部に設けられた透水孔によって、貯水槽上面部から貯水槽内に水が入るようになっており、コンクリートによって、周囲地盤の土砂が貯水槽内に実質的に入らないようになっている。また、態様（２）の貯水槽は、プレキャストコンクリート製ボックスの強度により、強固な基礎としても機能する。
【００３３】
態様（２）のプレキャストコンクリート製ボックスは、底面部と前後の壁面部と左右の端壁面部と上面部とを含むボックス状をなすものが好ましい。
【実施例】
【００３４】
次に、本発明の実施例について図面を参照して説明する。なお、実施例の構造及び各部の形状寸法は例示であり、発明の趣旨から逸脱しない範囲で適宜変更できる。
【００３５】
［実施例１］
図１〜図６に示す実施例１の擁壁は、特に図１に示すように、法面１０に沿って階段状に積み上げられた複数の段ｚ１，ｚ２と、最下段ｚ１の箱型擁壁用ブロック１の下に設けられた貯水槽１４とからなる。
【００３６】
まず、複数の段ｚ１，ｚ２について説明する。各段ｚ１，ｚ２は、箱型擁壁用ブロック１が法面１０の手前に左右に複数並べられるとともに、表面板２から法面１０までの間の空所６，７，８に充填石材１９が充填されることで構築されている。
【００３７】
箱型擁壁用ブロック１は、図２に示すように、起立した表面板２と、表面板２より奥へ離間して起立した控板３と、表面板２の左右方向途中部と控板３の左右方向途中部とを連結する一対の繋ぎ板４、４とが、コンクリートで一体的にプレキャストされてなる。
【００３８】
表面板２は、左右長さ約２０００ｍｍ、高さ約１０００ｍｍ、厚さ約１２０ｍｍの長方形板であり、その表面には例えば石垣模様、溝模様等の模様が設けられ、左右の側端面の上部及び下部には、水抜きスリット形成用の浅い凹部５が形成されている。控板３は、左右長さ約１８６０ｍｍ、高さ約５００ｍｍ、厚さ約１２０ｍｍの長方形板である。一対の繋ぎ板４，４は、それぞれ前後長さ約１０１０ｍｍ、高さ約５００ｍｍ（但し、表面板２に結合する前部分のみは高さ約９００ｍｍに増加した補強部となっている）、厚さ約１００ｍｍの板である。箱型擁壁用ブロック１の重さは約１３００ｋｇである。
【００３９】
控板３及び繋ぎ板４，４の各下端面は、表面板２の下端面と同じレベルに合わせられている。両繋ぎ板４，４は左右に約１０００ｍｍの相互間隔をおいて平行に対峙しており、その中央位置と表面板２の左右方向中央位置と控板３の左右方向中央位置とは前後に合わせられている。従って、各繋ぎ板４，４の外側面に対し、表面板２は近い方の側端面までが約４００ｍｍ突出しており、控板３は近い方の側端面までが約３３０ｍｍ突出している。表面板２と控板３と一対の繋ぎ板４、４とで囲まれた平面四角形の中央空所６を備える。表面板２の突出部と控板３の突出部と各繋ぎ板４，４とで囲まれた平面コ字形の側部凹所７を備える。また、控板３と法面１０との間に後方空所８が形成される。前記のとおり、これらの空所６，７，８に充填石材１９が充填されている。
【００４０】
次に、貯水槽１４について説明する。法面１０の手前の地盤１１に掘削された溝１２の底の厚さ２００〜４００ｍｍ程の土が、セメント系固化材により半コンクリート化された固化地盤１３となっている。溝１２の中であって固化地盤１３の上には、左右に延びる貯水槽１４が設けられている。貯水槽１４の上には、最下段ｚ１の箱型擁壁用ブロック１が５００ｍｍ以上根入れされて設置され、掘削された土の一部が貯水槽１４及び箱型擁壁用ブロック１の回りに埋め戻されて埋め戻し地盤１１ａとなっている。
【００４１】
貯水槽１４は、籠状のジオグリッド１５と、ジオグリッド１５の内側に張り付けられた吸い出し防止材１６と、吸い出し防止材１６の内側に充填された基礎石材１７とを含み構成されている。
【００４２】
ジオグリッド１５には、例えば高密度ポリエチレン樹脂よりなり、図６（ｂ）に示すように、基礎石材１７の平均粒径より小さくかつ基礎石材１７の一部が突出可能な大きさの網目単位を持つものが用いられている。
【００４３】
ジオグリッド１５は、底面部と前後の壁面部と左右の端壁面部（図示略）と上面部とを含む六面の籠状をなしている。上面部は、（基礎石材充填前に）壁面部に対して蓋状に開くことができ、（基礎石材充填後に）閉じたときには再び開かないように結合されている。前壁面部と後壁面部との間隔は２０５０ｍｍ、底面部と上面部との間隔は１４００ｍｍ、左右長さは、市販の所定寸法のジオグリッドをその端部どうしを重ねつつ並べることにより現場に応じて任意の長さとされている。
【００４４】
吸い出し防止材１６は、合成繊維の連続長繊維不織布よりなり、ジオグリッド１５の底面部と前後の壁面部の各内側に連続して張り付けられている。吸い出し防止材１６は、本実施例ではジオグリッド１５の上面部の内側には貼り付けられていないが、最下段ｚ１の箱型擁壁用ブロック１よりも前又は後にはみ出すジオグリッド上面部の部分の内側に貼り付けられていてもよい。
【００４５】
基礎石材１７には、３号の単粒度砕石（Ｓ−４０）が用いられている。前述のとおり３号の単粒度砕石（Ｓ−４０）の実積率は約６０％であり、従って単粒度砕石の相互間の空隙率は約４０％である。
【００４６】
基礎石材１７の後側下部には、左右に延びる部分開口暗渠排水パイプ１８が埋設されている。部分開口暗渠排水パイプ１８には、図６（ａ）に示すように、補強用螺旋状凸部１８ａと部分開口（孔）１８ｂとを有する樹脂製のもの（例えばＳＤ−１５０Ａ）が用いられている。
【００４７】
以上のように構成された貯水槽１４は、ジオグリッド１５の上面部の網目によって、貯水槽上面部から貯水槽内に水が入るようになっており、吸い出し防止材１６によって、周囲地盤１１の土砂が貯水槽内に実質的に入らないようになっており、基礎石材の相互間の空隙部で貯水するようになっている。また、貯水槽１４は、籠状のジオグリッド１５が基礎石材１７を拘束するため、強固な基礎としても機能する。
【００４８】
貯水槽１４の内法寸法は、前記ジオグリッド１５の底面部と上面部との間隔１４００ｍｍと、前壁面部と後壁面部との間隔２０５０ｍｍでほぼ決まり、前記のとおり３号の単粒度砕石（Ｓ−４０）の空隙率は約４０％であるから、貯水槽１４の左右長さ１ｍ当たりの貯水容量は、１．１５ｍ３（＝２．０５ｍ×１．４ｍ×１ｍ×４０％）である。
【００４９】
以上に示した擁壁は、次のようにして構築する。
（１）図３に示すように、法面１０の手前の地盤１１に、前後溝幅が箱型擁壁用ブロック１の前後長さ（１２５０ｍｍ）より大きく、溝深さが貯水槽１４の高さよりも前記根入れ分だけ大きい、溝１２を掘削する。
（２）同図に示すように、溝１２の底の土をこれにセメント系固化材を混合して攪拌し、固化させることにより固化地盤１３とする。
（３）図４に示すように、固化地盤１３の上にジオグリッド１５を籠状に組み、但しジオグリッド１５の上面部は、その合わせ端部どうしを離して、前後の壁面部に対して開いておく。
（４）同図に示すように、ジオグリッド１５の底面部と前壁面部と後壁面部とに吸い出し防止材１６を張り付ける。
【００５０】
（５）上面部を開いてある籠状のジオグリッド１５の内部（吸い出し防止材１６の内部）に基礎石材１７を投入し、層状に転圧締固めを行い、充填終了後は、ジオグリッド１５の上面部の合わせ端部どうしを閉じて重ね、再び開かないように結合する。結合は、例えば結束部材による結束、熱溶着等で行う。こうして貯水槽１４が出来上がる。
（６）図５に示すように、貯水槽１４の上に箱型擁壁用ブロック１を設置し、空所６，７，８に充填石材１９を充填して、最下段ｚ１を構築する。
（７）その後、２段目（ｚ２）以上の段を、法面１０に沿って後退させながら階段状に積み上げていくことで、箱型擁壁全体を完成させる。
【００５１】
［作用効果］
（ア）ゲリラ豪雨などにより想定外の雨量が短時間に生じても、箱型擁壁の下の貯水槽１４に一時的に所定量以上の雨水や湧水を貯水することにより、基礎地盤の流出及び応力度低下を防ぎ、基礎地盤や背面地盤の安定性を維持することができる。
（イ）一時的に貯水した後、排水性の良い砂質等の地盤１１では、貯水槽１４から地盤１１への緩やかな自然浸透により排水される。また、本実施例では、部分開口暗渠排水パイプ１８によっても貯水槽外に排水される。よって、長期間貯水することはない。
（ウ）一時的に貯水した後、排水性の悪い粘度質等の地盤１１でも、部分開口暗渠排水パイプ１８によって貯水槽外に徐々に排水される。その排水では遅い場合には、貯水層内に水中ポンプを設置して最寄りの排水溝に排水するなどの対策をとることもできる。
【００５２】
（エ）固化地盤１３は、セメント系固化材により半コンクリート化したものであるから、上記貯水時に軟弱化しない。
（オ）吸い出し防止材１６によって、周囲地盤１１の土砂が貯水槽内に実質的に入らないため、基礎石材１７の空隙が目詰まりせず、貯水容量が維持される。「土砂が貯水槽内に実質的に入らない」は、経年使用で当該目詰まりとそれによる貯水容量低下が問題となる程度に入らないということであり、よって経年使用で問題とならない程度に土砂が入ることは許容される。
（カ）その他、図５に示すように、貯水槽１４の底から地上まで縦に延びる水位確認用パイプ９を設けることもできる。地上から、水位確認用パイプ９の中に棒を入れて水位を確認できるようになる。
【００５３】
［実施例２］
図７に示す実施例２の擁壁は、斜面２０の上部に設置され、貯水槽１４の壁面部と底面部の外側遮水シート２１で水密に覆われ、貯水槽１４内の部分開口暗渠排水パイプ１８に斜面２０へ開口する（部分開口のない）暗渠排水パイプ２２が連結されている点において、実施例１の擁壁と相違し、その他は実施例１と共通である。
【００５４】
本実施例によれば、実施例１の（ア）、（ウ）〜（カ）と同様の作用効果が得られる他、次の作用効果（キ）が得られる。
（キ）貯水槽１４が遮水シート２１で水密に覆われているため、周囲地盤の土を貯水槽１４内に吸い出すおそれがなく、よって周囲地盤の土減少による陥没を招くことがない。その場合でも、貯水槽１４には吸い出し防止材１６を設置して、万が一の遮水シート破損や施工不良による土砂の侵入を阻止する。
（ク）その他、暗渠排水パイプ２２の排水口を、斜面が排水で削られないよう保護する構造とすることもできる。
【００５５】
［実施例３］
図８に示す実施例３の擁壁は、比較的軟弱な地盤１１に構築され、貯水槽１４がプレキャストコンクリート製ボックス３０であり、固化地盤の形成は省かれ、プレキャストコンクリート製ボックスの上面部の上であって最下段の箱型擁壁用ブロック１の下に、粗粒状の基礎石材４２をジオグリッド４３で巻き囲んでなる基礎４１が設けられた点において実施例１の擁壁と相違し、その他は実施例１と共通である。
【００５６】
プレキャストコンクリート製ボックス３０は、図８に示す中間用ブロック３１の複数個と、図９に示す左右の端用ブロック３２とを連ねて形成されたものであり、全体として底面部と前後の壁面部と左右の端面部と上面部とからなる六面のボックスである。
【００５７】
図８に示す中間用ブロック３１は、鉄筋コンクリート製であり、底面部と前後の壁面部と上面部とからなる四角筒状をなし、上面部の前後の端部には基礎４１を位置規制する凸部３３が設けられ、上面部の中間部には透水孔３４が貫設されている。中間用ブロック３１の前後幅及び左右長さは共に２３００ｍｍである。内法寸法は、前後が１８００ｍｍ、上下が前後で５５０ｍｍ・中央で７００ｍｍ（平均６２５ｍｍ）であるから、貯水槽１４の左右長さ１ｍ当たりの貯水容量は、１．１３ｍ３（＝１．８ｍ×０．６２５ｍ×１ｍ）である。
【００５８】
図９に示す端用ブロック３２は、鉄筋コンクリート製であり、底面部と前後の壁面部と一方の端面部と上面部とからなる一端閉鎖四角筒状をなし、上面部には凸部３３と透水孔３４のほかマンホール孔３５が貫設され、底面部には水中ポンプ用ピット３６が凹設されている。水中ポンプ用ピット３６には、貯水槽外の所定の排水部位へ排水するための水中ポンプ３７が設置されている。
【００５９】
本実施例によれば、実施例１の（ア）、（ウ）〜（カ）と同様の作用効果が得られる他、次の作用効果（ク）が得られる。
（ク）擁壁を構築する土壌が比較的軟弱な場合、例えば長年にわたり斜面土砂が崩壊して堆積した場所、過去に盛土によって形成した場所など、擁壁を支える支持力として余裕のない土壌に構築する場合、実施例１のようにジオグリッドを使用した貯水槽では、一時的に保水した後、周囲への水の浸透により周辺地盤の軟弱化を招き、安定性を失う可能性がある。そのような場所では、プレキャストコンクリート製ボックス３０を設置して貯水を行い、周辺土壌の強度低下などを生じさせないようにする。また、擁壁の実質根入れを増やすことになり擁壁全体の安定性を高める効果もある。
【００６０】
図１０に示す中間用ブロック３１の変更例１は、内法寸法の上下を６００ｍｍで一定としたものである。
図１１に示す中間用ブロック３１の変更例２は、内法寸法の上下を６００ｍｍで一定とし、底面部を前後の壁面部と別体形成して嵌合させたものである。
【符号の説明】
【００６１】
ｚ１    最下段
ｚ２    ２段目
１    箱型擁壁用ブロック
２    表面板
３    控板
４    繋ぎ板
５    凹部
６    中央空所
７    側部凹所
８    後方空所
９    水位確認用パイプ
１０    法面
１１    地盤
１１ａ  埋め戻し地盤
１２    溝
１３    固化地盤
１４    貯水槽
１５    ジオグリッド
１６    吸い出し防止材
１７    基礎石材
１８    部分開口暗渠排水パイプ
１８ａ  補強用螺旋状凸部
１８ｂ  部分開口（孔）
１９    充填石材
２０    斜面
２１    遮水シート
２２    暗渠排水パイプ
３０    プレキャストコンクリート製ボックス
３１    中間用ブロック
３２    端用ブロック
３３    凸部
３４    透水孔
３５    マンホール孔
３６    水中ポンプ用ピット
３７    水中ポンプ
４１    基礎
４２    基礎石材
４３    ジオグリッド
【図１】
2019132095.tif 000003
【図２】
2019132095.tif 000004
【図３】
2019132095.tif 000005
【図４】
2019132095.tif 000006
【図５】
2019132095.tif 000007
【図６】
2019132095.tif 000008
【図７】
2019132095.tif 000009
【図８】
2019132095.tif 000010
【図９】
2019132095.tif 000011
【図１０】
2019132095.tif 000012
【図１１】
2019132095.tif 000013